(57)【特許請求の範囲】
【請求項１】
オプションのユニットの種別ごとに予め識別コードが定められ、前記識別コードの出力機能を有するオプションのユニットを、それの種別によらずに着脱自在に接続するためのユニット接続部と、
前記ユニットから伝送された識別コードに基づいて、前記オプションのユニットの種別を識別し、識別したユニットの種別に見合った制御を実行する制御手段を備えることを特徴とする便器装置。
【請求項２】
請求項１記載の便器装置において、
前記制御手段は、識別したユニットの種別に見合った制御を実行するに当り、そのユニットが異常か否かを判定する処理を実行することを特徴とする便器装置。
【請求項３】
請求項２記載の便器装置において、
前記制御手段は、前記ユニットが異常であると判定したときは、前記ユニットの駆動を停止することを特徴とする便器装置。
【請求項４】
請求項２記載の便器装置において、
前記制御手段は、前記ユニットが異常であると判定したときは、前記ユニットに対する操作指令の受付けを禁止することを特徴とする便器装置。
【請求項５】
請求項２記載の便器装置において、
前記制御手段は、識別したユニットが異常であると判定したとき、その判定結果を報知するための報知手段を更に備えることを特徴とする便器装置。
【発明の詳細な説明】
【０００１】
【発明の属する技術分野】
本発明は、便器装置の改良に関するものである。
【０００２】
【従来の技術】
近年、便器装置に設置する衛生洗浄装置は、多機能化や高機能化が進むにつれて多数の機能部品を備えるようになり、それに伴って装置価格も上昇する傾向にある。
【０００３】
【発明が解決しようとする課題】
ところで、上述した衛生洗浄装置は、高価格でも構わないから高度な機能を数多く備えた装置を要求するユーザには向いていても、例えば局部洗浄機能のような必要最小限の機能だけを備えた廉価な装置を要求するユーザには不向きである。
【０００４】
そこで、ユーザの種々の要求にフレキシブルに対応するため、例えば脱臭ユニットや乾燥ユニットや室内暖房ユニットのような付加的な機能を有する多数のユニットをオプションにして後付けを可能にした構成の衛生洗浄装置が検討された。
【０００５】
その検討内容は、装置本体の構成を、オプションにした全てのユニットをユーザが後付けできるようにする点と、後付けのユニットの異常診断をユーザが容易に行えるようにする点と、後付けのユニットの機能に応じた制御を、装置本体のコントローラを特別に調整せずにユーザによって行えるようにする点である。
【０００６】
しかし、第１、及び第３の点は、装置本体に、全てのユニットが接続できるよう各ユニット毎に専用のユニット接続部を設け、コントローラが各ユニット接続部毎に所定の制御信号を出力するようにすれば容易に解決するが、装置の大型化や装置構成の複雑化が避けられず、高コストになるという問題がある。また、第２の点についても、後付けした後のユニットを試運転して異常か否かをユーザ自身が診断するのは一般的なユーザにとっては容易でない。
【０００７】
従って本発明の目的は、便器装置において、全てのオプションのユニットの後付け、及びユニットの機能に応じた制御が、装置の大型化や装置構成の複雑化を招来せずに実現でき、且つ、後付けのユニットの異常診断が、ユーザの手を煩わせることなく行えるようにすることにある。
【０００８】
【課題を解決するための手段】
本発明に従う便器装置は、オプションのユニットの種別ごとに予め識別コードが定められ、前記識別コードの出力機能を有するオプションのユニットを、それの種別によらずに着脱自在に接続するためのユニット接続部と、前記ユニットから伝送された識別コードに基づいて、前記オプションのユニットの種別を識別し、識別したユニットの種別に見合った制御を実行する制御手段を備える。
【０００９】
この構成によれば、入力した識別コードに基づいてユニット接続部に接続されているオプションのユニットを識別できるので、後付けとされた全てのユニット数に対応してユニット接続部を設けなくても、ユーザが所望のユニットを装置本体に接続できる。また、制御手段が識別したユニットに見合った制御を実行するので、ユーザの手を煩わすことはない。
【００１０】
本発明の好適な実施形態では、制御手段は、識別したユニットに見合った制御を実行するに当り、そのユニットが異常か否かを判定する処理を実行する。
【００１１】
この構成においても、制御手段が、接続されたユニットが異常か否かを判定する処理を自動的に実行するので、ユーザの手を煩わすことはない。
【００１２】
また、制御手段は、ユニット接続部に接続されているユニットが異常であると判定したときは、そのユニットの駆動を停止する。この場合、制御手段は、そのユニットに対する操作指令の受付けの禁止をも併せて行なう。
【００１３】
なお、異常であるとの判定結果を報知するための報知手段を更に備えることとすれば、ユーザにとってより使い勝手の良い装置となる。また、オプションのユニットには、識別コード出力機能を有するものや、識別コードを記憶する記憶部を有するものや、例えば冷房機能を有するユニットか、或いは暖房機能を有するユニットか等のユニットの種別を制御手段に判定させるための種別判定部を有するものが用いられる。
【００１４】
【発明の実施の形態】
以下、本発明の実施の形態を、図面により詳細に説明する。
【００１５】
図１は、本発明の一実施形態に係る便器装置の各部を示すブロック図である。
【００１６】
上記便器装置は、図示のように、複数個のユニット接続用ポート１、３と、複数個のオプションのユニット５、７と、マイクロコンピュータ（マイコン）９と、表示器１１とから構成される。図１では、ユニット接続用ポート１、３は、図示の都合により２個しか記載していないが、２個に限定されるものではなく、衛生洗浄装置に設定される機能の数に応じて１個、或いは３個以上設置することもできる。
【００１７】
ユニット接続用ポート１には、装置本体側のマイコン９及び駆動電源（図示しない）とオプションのユニット５側とを挿脱自在に接続するためのコネクタ（図示しない）が設けられる。即ち、このコネクタを介して装置本体側のバスライン１３、１５とユニット５側のバスライン１７とが接続されるのみならず、駆動電源とユニット５側の電力を駆動源とする各部（図示しない）との間が給電線（図示しない）によって接続される。そして、ユニット５の各部がマイコン９の制御下に置かれると共に、駆動電源からユニット５の各部に対して給電が行われる。
【００１８】
ユニット接続用ポート３にも、ユニット接続用ポート１と同様に装置本体側とオプションのユニット７側とを挿脱自在に接続するためのコネクタ（図示しない）が設けられる。即ち、このコネクタを介して装置本体側のバスライン１３とユニット７側のバスライン１９とが接続されるのみならず、駆動電源とユニット７側の電力を駆動源とする各部（図示しない）との間が給電線（図示しない）によって接続される。そして、ユニット７の各部がマイコン９の制御下におかれると共に、駆動電源からユニット７の各部への給電が行われることとなる。
【００１９】
ここで、ユニット５、７には、例えば熱交換器ユニットや、温風乾燥ユニットや、脱臭ユニット等が挙げられる。ユニット５には、予め定められている自身の識別コード（ＩＤ番号）をバスライン１７、ユニット接続用ポート１、及びバスライン１５、１３を通じてマイコン９に伝送すると共に、マイコン９からの指令信号を受信してユニット５の各部に与える制御データ送／受信部２３が内蔵されている。
【００２０】
一方、ユニット７にも、ユニット５におけると同様に予め定められている自身の識別コード（ＩＤ番号）をバスライン１９、ユニット接続用ポート３、及びバスライン１３を通じてマイコン９に伝送すると共に、マイコン９からの指令信号を受信してユニット７の各部に与える制御データ送／受信部２５が内蔵されている。
【００２１】
本実施形態では、マイコン９は、ユニット接続用ポート１、３に接続されているユニットを識別する識別手段、識別したユニットに対する異常診断を行う異常診断手段、及び識別したユニットの機能に応じた制御を実行する制御手段としての機能を備える。
【００２２】
即ち、マイコン９は、内蔵するメモリ（図示しない）にオプションとされた全てのユニットについて各ユニットを識別するための識別コード（ＩＤ番号）データを記憶している。そして、バスライン１３、１５を介してユニット接続用ポート１に接続されているユニット５の制御データ送／受信部２３にＩＤ番号を照会し、送／受信部２３から伝送されたＩＤ番号と上記記憶しているＩＤ番号データとを比較して、その比較結果から上記ユニット５がいずれのユニットかを識別する。同様に、バスライン１３を介してユニット接続用ポート３に接続されているユニット７の制御データ送／受信部２５にＩＤ番号を照会し、送／受信部２５から伝送されたＩＤ番号と上記記憶しているＩＤ番号データとを比較して、その比較結果から上記ユニット７がいずれのユニットかを識別する。
【００２３】
マイコン９は、また、送／受信部２３、２５との間で交信することにより、内蔵するメモリ（図示しない）に記憶されている各ユニット毎の異常診断処理プログラムに基づき、ユニット５、７の異常診断を実行する。そして、異常と診断したときには、ユニット５（７）に異常が発生した旨をユーザに報知すべくバスライン２１を通じて表示器１１にユニット５（７）の異常を表示すると共に、マイコン９に各種指令を与える操作部（図示しない）における指令入力の受付けを禁止する。
【００２４】
マイコン９は、更に、送／受信部２３、２５との間で交信することにより、内蔵するメモリ（図示しない）に記憶されている各ユニット５、７の機能に応じた制御プログラムを読出し、そのプログラムに基づいてユニット５、７各部の制御を実行する。
【００２５】
次に、上記構成におけるユニットの識別処理、識別したユニットの異常診断処理、識別したユニットの機能に応じた制御における処理流れを、図２、図３に示すフローチャートにより説明する。
【００２６】
まず、図２において、マイコン９はユニット５の制御データ送／受信部２３にＩＤ番号を照会し（ステップＳ４１）、送／受信部２３から伝送されたＩＤ番号により上記ユニット５がいずれのユニットかを識別する（ステップＳ４２）。この識別の結果、ユニット５がＡ装置（例えば、熱交換器ユニット）であると判断した場合には、このＡ装置に関して異常診断を行い、正常であると認識すると、Ａ装置の機能に応じた制御を実行する（ステップＳ４３）。
【００２７】
ステップＳ４２での識別の結果、Ｂ装置（例えば、温風乾燥装置）であると判断した場合には、このＢ装置に関して異常診断を行い、正常であると認識すると、Ｂ装置の機能に応じた制御を実行する（ステップＳ４４）。また、上記識別の結果、Ｃ装置（例えば、室内暖房装置）であると判断した場合には、このＣ装置に関して異常診断を行い、正常であると認識すると、Ｃ装置の機能に応じた制御を実行する（ステップＳ４５）。更に、Ｄ装置（例えば、便座暖房装置）が接続されていると認識した場合には、Ｄ装置の機能に応じた制御を実行することとなる（ステップＳ４６）。
【００２８】
マイコン９は、ユニット７の制御データ送／受信部２５に対してもＩＤ番号を照会し、上述したステップＳ４１〜Ｓ４６に示したのと同様の処理を実行する。
【００２９】
次に、ステップＳ４３〜Ｓ４６における各装置の異常診断処理の手順を、図３のフローチャートにより説明する。
【００３０】
図３において、まず、送／受信部２３との間で交信し（ステップＳ５１）、次に、送／受信部２３から伝送されるデータ（ユニット５が温風乾燥装置のときはファンモータの動作確認データ、便座暖房装置のときはヒータの動作確認データ等）に基づいてユニット５に異常が生じたか否かを判断する（ステップＳ５２）。この結果、異常有りと判断すると、異常の内容を表示器１１に表示し（ステップＳ５３）、ユニット５の駆動を停止すると共に（ステップＳ５４）、マイコン９に各種指令を与える操作部における指令入力の受付けを禁止する（ステップＳ５５）。マイコン９と、送／受信部２５との間においても上記と同様の処理が実行される。
【００３１】
上記構成によれば、後付けとされた全てのユニット数に対応してユニット接続部１（３）を設けなくても、ユーザが所望のユニット５（７）を装置本体に接続できる。また、マイコン９が識別したユニット５（７）に見合った制御を実行するので、ユーザの手を煩わすことはない。また、マイコン９が、識別したユニット５（７）に見合った制御を実行するに当り、そのユニット５（７）が異常か否かを判定する処理を自動的に実行するので、これについてもユーザの手を煩わすことはない。なお、異常であるとの判定結果は、表示器１１に表示されるので、使い勝手が良い。
【００３２】
なお、上述した内容は、あくまで本発明の一実施形態に関するものであって、本発明が上記内容のみに限定されることを意味するものでないのは勿論である。
【００３３】
【発明の効果】
以上説明したように、本発明によれば、便器装置において、全てのオプションのユニットの後付け、及びユニットの機能に応じた制御が、装置の大型化や装置構成の複雑化を招来せずに実現でき、且つ、後付けのユニットの異常診断が、ユーザの手を煩わせることなく行えるようにすることができる。
【図面の簡単な説明】
【図１】本発明の一実施形態に係る便器装置の各部を示すブロック図。
【図２】オプションのユニットの識別処理、異常診断処理、ユニットの制御における処理流れを示すフローチャート。
【図３】オプションのユニットの異常診断処理の手順を示すフローチャート。
【符号の説明】
１、３  Ｉ／Ｏポート
５、７  オプションのユニット
９  マイクロコンピュータ（マイコン）
１１  表示器
１３、１５、１７、１９、２１  バスライン
２３、２５  制御データ送／受信部
【図１】
0003661722.tif 000002
【図２】
0003661722.tif 000003
【図３】
0003661722.tif 000004